(57)【要約】 【課題】  レーザ素子の配置を容易に行うことでき、且つ、安価な素子の採用にて円滑に光軸調整を行い得る光ピックアップ装置を提供する。【解決手段】  光ピックアップ装置は、出射波長の異なる３つのレーザ素子１０１ａ〜１０１ｃを同一筺体内に収容した３波長レーザ１０１と、各レーザ素子から出射されたレーザ光の光軸をほぼ一致させる軸補正用回折格子１０２を備えている。  前記レーザ素子１０１ａ〜１０１ｃは、それぞれの発光点が出射側から見てほぼ直線状に並ぶよう配置されるとともに、軸補正用回折格子１０２による各波長の回折角θ１、θ２に応じて発光点間距離ｄ１、ｄ２が設定されている。また、軸補正用回折格子１０２は、各波長のレーザ光の回折効率が適正範囲となるようホログラム格子パターンが設定されている。【選択図】    図４
2005259268.tif 000002
【特許請求の範囲】
【請求項１】
出射波長の異なる少なくとも３つのレーザ素子を同一筺体内に収容した半導体レーザと、前記レーザ素子から出射された各レーザ光の光軸をほぼ一致させる回折格子とを備え、
前記レーザ素子は、それぞれの発光点が出射側から見てほぼ直線状に並ぶよう配置されるとともに、前記回折格子による各波長の回折角に応じて発光点間距離が設定されており、
前記回折格子は、各波長のレーザ光の回折効率が適正範囲となるよう格子パターンが設定されている、
ことを特徴とする光ピックアップ装置。
【請求項２】
請求項１において、
前記レーザ素子は、出射波長がλ１、λ２、λ３（λ１＜λ２＜λ３）の３つのレーザ素子からなっており、且つ、出射波長が最も短いレーザ素子を挟んで他の２つのレーザ素子が並ぶようにして前記筺体内に収容されている、
ことを特徴とする光ピックアップ装置。
【請求項３】
請求項２において、
前記出射波長がλ１のレーザ素子は、青紫色レーザ光を出射するレーザ素子であり、前記出射波長がλ２、λ３のレーザ素子は、それぞれ、赤色レーザ光、赤外色レーザ光を出射するレーザ素子である、
ことを特徴とする光ピックアップ装置。
【請求項４】
請求項１乃至３の何れかにおいて、
前記回折格子は、各波長のレーザ光の回折効率が適正範囲となるよう格子パターンのステップ数とステップ高さが設定されている、
ことを特徴とする光ピックアップ装置。
【請求項５】
請求項４において、
前記格子パターンのステップ数は３ステップに設定されている、
ことを特徴とする光ピックアップ装置。
【請求項６】
光ピックアップ装置の発光源として用いられる半導体レーザであって、
出射波長の異なる少なくとも３つのレーザ素子が同一筺体内に収容されているとともに、それぞれの発光点が出射側から見てほぼ直線状に並ぶよう配置されており、且つ、前記レーザ素子の出射波長に応じて発光点間距離が設定されている、
ことを特徴とする半導体レーザ。
【請求項７】
請求項６において、
前記レーザ素子は、出射波長がλ１、λ２、λ３（λ１＜λ２＜λ３）の３つのレーザ素子からなっており、且つ、出射波長が最も短いレーザ素子を挟んで他の２つのレーザ素子が並ぶようにして前記筺体内に収容され、出射波長がλ１、λ２のレーザ発光点間隔と出射波長がλ１、λ３のレーザ発光点間隔の比が、出射波長λ２、λ３の比とほぼ同じになるように、これら３つのレーザ素子を配置した、
ことを特徴とする半導体レーザ。
【請求項８】
請求項７において、
前記出射波長がλ１のレーザ素子は、青紫色レーザ光を出射するレーザ素子であり、前記出射波長がλ２、λ３のレーザ素子は、それぞれ、赤色レーザ光、赤外色レーザ光を出射するレーザ素子である、
ことを特徴とする半導体レーザ。
【発明の詳細な説明】
【技術分野】
【０００１】
本発明は、光ピックアップ装置および半導体レーザに関し、特に、波長の異なる数種のレーザ光を記録媒体に照射する互換型の光ピックアップ装置に用いて好適なものである。
【背景技術】
【０００２】
現在、ＣＤ（Compact Disc）やＤＶＤ（Digital Versatile Disc）等、様々な光ディスクが商品化され普及している。さらに、最近では、青紫レーザ光を用いて情報を記録再生する次世代ＤＶＤの規格化が進められている。この次世代ＤＶＤは、波長４０５ｎｍ程度の青紫レーザ光を用いて情報を記録再生するものである。レーザ光の短波長化によって、さらなる高密度化を図ることができる。
【０００３】
このように、ディスクの多様化が進むと、異なる種類のディスクに対し記録再生を行い得る、いわゆる互換型の光ピックアップ装置の開発が要求される。ここで、波長の異なるレーザ光をディスクに照射するには、それぞれの波長のレーザ光を出射する半導体レーザを個別に配する手法が採られ得る。しかし、こうすると、それぞれの半導体レーザを配するためのスペースと、各レーザ光を対物レンズに導くための光学素子が個別に必要となり、外形寸法の大型化と部品点数の増加を招く。そこで、一つのレーザＣＡＮ内に出射波長の異なる複数のレーザ素子を同時に装備する手法が検討されている。こうすると、半導体レーザの配置スペースを削減でき、且つ、各レーザ光について光学系を共用できるようになる。
【０００４】
ところが、このように一つのレーザＣＡＮ内に複数のレーザ素子を装備すると、各レーザ素子の配置ギャップに応じて、レーザ光の光軸間にズレが生じる。このため、一つのレーザ光の光軸に光学系を位置合わせすると、他のレーザ光の光軸が光学系に対してずれてしまい、これら他のレーザ光にて記録再生を行う際に、光学特性ないし記録再生特性が劣化するとの問題が生じる。
【０００５】
そこで、以下の特許文献１では、数種のレーザ素子を収容した半導体レーザの直後に複屈折素子を配し、この複屈折素子にてそれぞれのレーザ光の光軸を一致させてから、光学系にレーザ光を導くようにしている。すなわち、基準となるレーザ光の偏光面とその他のレーザ光の偏光面が互いに直交するよう複数のレーザ素子を同一ＣＡＮ内に配すると共に、この半導体レーザの直後に、基準レーザ光はそのまま通過させ、その他のレーザ光は基準レーザ光の光軸に一致するように屈折させる複屈折素子を配する。かかる構成により、各レーザ光の光軸を一致させた後に、レーザ光を後段の光学系に導くことができ、もって、全てのレーザ光の光軸を光学系に対し整合させることができるようになる。
【０００６】
なお、以下の特許文献２には、ディスクからの反射光を受光する光検出器の直前に回折格子を配し、これにより、一つの光検出器に各波長の反射光を導く技術が記載されている。すなわち、同一ＣＡＮ内に３つのレーザ素子を配し、各レーザ素子から出射される波長の異なるレーザ光を同一光学系にてディスク上に収束させ、その反射光を、前記回折格子にて回折させ、一つの光検出器上に収束させるものである。この場合、光検出器は共用できるが、半導体レーザからディスクまでの光路において、レーザ光の間に光軸ずれが生じているため、上述の如く、光学特性ないし記録再生特性が劣化するとの問題が生じる。
【特許文献１】特開平６−１３１６８８号公報
【特許文献２】特開平１１−１３４７０２号公報
【発明の開示】
【発明が解決しようとする課題】
【０００７】
上記特許文献１に記載の技術によれば、上記の如く、光軸補正によって光学特性ないし記録再生特性の改善を図ることができるが、別途、複屈折素子が必要となり、さらに、基準となるレーザ光の偏光面とその他のレーザ光の偏光面が互いに直交するよう、対応するレーザ素子を同一ＣＡＮ内に形成する必要がある。しかし、このように偏光面を相違させながら各レーザ素子を成層形成するのは容易ではなく、また、複屈折素子は高価であるため、光ピックアップ装置全体のコスト上昇を招くとの問題も生じる。
【０００８】
さらに、複屈折素子における屈折作用には波長依存性があるものの、光ディスク装置において記録／再生用に用いられているレーザ光の波長を考慮すると、各波長を複屈折素子にて屈折させたときの屈折角は、あまり変わらないものとなる。たとえば、ＣＤ用のレーザ光（波長７８０ｎｍ）とＤＶＤ用のレーザ光（波長６５５ｎｍ）との間には１００ｎｍ程度の波長差しかなく、このため、複屈折素子における両レーザ光の屈折角は殆ど同じ大きさとなる。したがって、複屈折素子を用いる場合には、ＣＤ用のレーザ光とＤＶＤ用のレーザ光を、光軸がほぼ一致する程度にまで接近した状態で複屈折素子に入射させる必要が生じるが、製造上、レーザ素子をここまで接近させて形成することはできず、よって、複屈折素子にてこれらのレーザ光を屈折させることにより光軸を一致させるのは不可能に近い。このため、ＣＤ用レーザ光（波長７８０ｎｍ）とＤＶＤ用レーザ光（波長６５５ｎｍ）の他、次世代ＤＶＤ用レーザ光をも同時に出射する３波長レーザを用いる場合、複屈折素子では光軸を一致させることができず、上記特許文献１の技術では対応することができない。
【０００９】
そこで、本発明は、これらの問題に鑑み、レーザ素子の配置を容易に行うことでき、且つ、安価な素子の採用にて円滑に光軸調整を行い得る光ピックアップ装置および半導体レーザを提供することを課題とする。
【課題を解決するための手段】
【００１０】
上記課題に鑑み、本発明は以下の特徴を有する。
【００１１】
請求項１の発明は、出射波長の異なる少なくとも３つのレーザ素子を同一筺体内に収容した半導体レーザと、前記レーザ素子から出射された各レーザ光の光軸をほぼ一致させる回折格子とを備える光ピックアップ装置であって、前記レーザ素子は、それぞれの発光点が出射側から見てほぼ直線状に並ぶよう配置されるとともに、前記回折格子による各波長の回折角に応じて発光点間距離が設定されており、前記回折格子は、各波長のレーザ光の回折効率が適正範囲となるよう格子パターンが設定されていることを特徴とする。
【００１２】
請求項２の発明は、請求項１に記載の光ピックアップ装置において、前記レーザ素子は、出射波長がλ１、λ２、λ３（λ１＜λ２＜λ３）の３つのレーザ素子からなっており、且つ、出射波長が最も短いレーザ素子を挟んで他の２つのレーザ素子が並ぶようにして前記筺体内に収容されていることを特徴とする。
【００１３】
請求項３の発明は、請求項２に記載の光ピックアップ装置において、前記出射波長がλ１のレーザ素子は、青紫色レーザ光を出射するレーザ素子であり、前記出射波長がλ２、λ３のレーザ素子は、それぞれ、赤色レーザ光、赤外色レーザ光を出射するレーザ素子であることを特徴とする。
【００１４】
請求項４の発明は、請求項１乃至３の何れかに記載の光ピックアップ装置において、前記回折格子は、各波長のレーザ光の回折効率が適正範囲となるよう格子パターンのステップ数とステップ高さが設定されていることを特徴とする。
【００１５】
請求項５の発明は、請求項４に記載の光ピックアップ装置において、前記格子パターンのステップ数は３ステップに設定されていることを特徴とする。
【００１６】
請求項６の発明は、光ピックアップ装置の発光源として用いられる半導体レーザであって、出射波長の異なる少なくとも３つのレーザ素子が同一筺体内に収容されているとともに、それぞれの発光点が出射側から見てほぼ直線状に並ぶよう配置されており、且つ、前記レーザ素子の出射波長に応じて発光点間距離が設定されていることを特徴とする。
【００１７】
請求項７の発明は、請求項６に記載の半導体レーザにおいて、前記レーザ素子は、出射波長がλ１、λ２、λ３（λ１＜λ２＜λ３）の３つのレーザ素子からなっており、且つ、出射波長が最も短いレーザ素子を挟んで他の２つのレーザ素子が並ぶようにして前記筺体内に収容され、出射波長がλ１、λ２のレーザ発光点間隔と出射波長がλ１、λ３のレーザ発光点間隔の比が、出射波長λ２、λ３の比とほぼ同じになるように、これら３つのレーザ素子を配置したことを特徴とする。
【００１８】
請求項８の発明は、請求項７に記載の半導体レーザにおいて、前記出射波長がλ１のレーザ素子は、青紫色レーザ光を出射するレーザ素子であり、前記出射波長がλ２、λ３のレーザ素子は、それぞれ、赤色レーザ光、赤外色レーザ光を出射するレーザ素子であることを特徴とする。
【００１９】
本発明の特徴は、以下に示す実施の形態の説明により更に明らかとなろう。但し、以下の実施の形態は、あくまでも、本発明の一つの実施形態であって、本発明ないし各構成要件の用語の意義は、以下の実施の形態に記載されたものに制限されるものではない。
【発明の効果】
【００２０】
本発明によれば、レーザ素子の配置調整と、回折格子の追加のみによって光軸補正を行えるので、コストの上昇を抑制しながら円滑に光軸調整を行い得る光ピックアップ装置を提供することができる。また、請求項２に記載の発明のように、出射波長が最も短いレーザ素子を挟むようにして他のレーザ素子を配置するようにすると、以下の実施の形態にて説明する如く、発光点間距離を大きくすることができ、筺体内におけるレーザ素子の配置マージンを大きくとることができる。この他、本発明の効果は、以下に示す実施の形態の説明によって、順次、明らかになるものと企図される。
【発明を実施するための最良の形態】
【００２１】
以下、本発明の実施の形態につき図面を参照して説明する。
【００２２】
図１に実施の形態に係る光ピックアップ装置の構成を示す。なお、この光ピックアップ装置は、ＣＤ／ＤＶＤ／次世代ＤＶＤ用の互換型として用いられるものである。また、同図中、再生回路２０１、サーボ回路２０２およびコントローラ２０３は、光ディスク装置側の構成である。
【００２３】
図示の如く、光ピックアップ装置は、３波長レーザ１０１と、軸補正用回折格子１０２と、コリメータレンズ１０３と、偏光ＢＳ（ビームスプリッタ）１０４と、ミラー１０５と、開口制限素子１０６と、波面補正素子１０７と、λ／４板１０８と、対物レンズ１０９と、集光レンズ１１０と、光検出器１１１と、対物レンズアクチュエータ３００を備えている。
【００２４】
３波長レーザ１０１は、ＣＤ用のレーザ光（波長７８０ｎｍ）、ＤＶＤ用のレーザ光（波長６５５ｎｍ）、次世代ＤＶＤ用のレーザ光（波長４０８ｎｍ）をそれぞれ出射する３つのレーザ素子を同一ＣＡＮ内に収容している。ここで、それぞれのレーザ素子は一つの直線上に並ぶよう所定のギャップをおいて配置されている。また、各素子から出射されるレーザ光は互いに偏光面が平行となっている。なお、各レーザ素子の配置については後述する。
【００２５】
軸補正用回折格子１０２は、３波長レーザ１０１から出射される各レーザ光間の光軸ずれを回折作用によって調整する。すなわち、軸補正用回折格子１０２には、光軸ずれを補正できるよう設計されたパターンが形成されている。なお、回折格子の構成および光軸ずれの補正作用については後述する。
【００２６】
コリメータレンズ１０３は、軸補正用回折格子１０２によって光軸補正された各波長のレーザ光を平行光に変換する。ここで、コリメータレンズ１０３は、たとえば、各波長のレーザ光に対し色消し効果を実現できるよう、アッベ数と曲率（球面）が調整された複数枚のレンズを貼り合わせて形成されている。
【００２７】
偏光ＢＳ１０４は、その偏光面が３波長レーザ１０１から出射されるレーザ光の偏光面に一致するように調整・配置されている。したがって、コリメータレンズ１０３によって平行光に変換された各波長のレーザ光は、それぞれ偏光ＢＳ１０４をほぼ全透過する。
【００２８】
ミラー１０５は、λ／４板１０８からのレーザ光の光路を対物レンズ１０９方向に立ち上げる。
【００２９】
開口制限素子１０６は、各ディスクの基板厚に応じてレーザ光の外周を遮光し、これにより、対物レンズ１０９に対する各レーザ光の開口数（ＮＡ）を調整する。すなわち、対物レンズ１０９の開口数は、ディスク毎の基板厚に応じて、あらかじめレーザ光毎に決められており、開口制限素子１０６は、ディスクの基板厚に対応する開口数となるようレーザ光の外周部を遮光し、各レーザ光を適正な有効径にて対物レンズ１０９に入射させる。たとえば、当該光ピックアップ装置がＣＤ／ＤＶＤ／次世代ＤＶＤ（基板厚０．６ｍｍ）互換用である場合、ＣＤの基板厚のみが他のディスクに比べて大きく、これに応じてＣＤ用レーザ光のＮＡのみが他に比べて小さく設定さている。開口制限素子１０６は、ＣＤ用レーザ光のみ外周部を遮光し、対物レンズ１０９に対するＣＤ用レーザ光の有効径を調整し、これにより、ＣＤ用レーザ光の開口数を設定値に調整する。
【００３０】
なお、開口制限素子１０６としては、たとえば、回折素子を用いることができる。この回折素子には、レーザ光の外周部が入射する位置に波長選択性の回折パターンが形成されており、このパターンの回折作用によって、当該波長のレーザ光の外周部を発散させる。たとえば、ＣＤ／ＤＶＤ／次世代ＤＶＤ（基板厚０．６ｍｍ）互換の場合には、ＣＤ用レーザ光（波長７８０ｎｍ）のみを回折させる回折パターンが、外周部入射位置に形成される。これにより、ＣＤ用レーザ光の外周部が回折により発散され、中央部のみが対物レンズ１０９方向に導かれる。
【００３１】
この他、開口制限素子１０６として、偏光フィルタを用いることもできる。すなわち、開口制限したいレーザ光の外周部位置に偏光フィルタを配するとともに、当該レーザ光の偏光面を偏光フィルタの偏光面に対して直交させる。この場合、開口制限したいレーザ光の偏光面のみを偏光フィルタの偏光面に対して直交させることから、当該レーザ光の偏光面を他のレーザ光の偏光面に対し９０°回転させる手段が別途必要となる。この手段としては、たとえば、波長選択性のλ／２板を用いることができる。
【００３２】
さらに、開口制限素子１０６として、位相フィルタを用いることもできる。この場合、開口制限したいレーザ光のみフィルタリングされるよう、位相フィルタの厚みを調整する必要がある。
【００３３】
波面補正素子１０７は、サーボ回路２０２からのサーボ信号に応じて、レーザ光の波面状態を補正する。上述の如く、３波長レーザ１０１から出射される各波長のレーザ光は、コリメータレンズ１０３によって全て平行光とされるため、開口制限素子１０６を通過した後も平行光となっている。これに対し、対物レンズ１０９が、たとえば、所定波長のレーザ光にのみ有限系となるよう設計されている場合には、当該波長のレーザ光の波面状態をそれに応じて補正する必要がある。波面補正素子１０７は、かかる場合に、当該波長のレーザ光の波面状態が適正状態となるよう、当該波長のレーザ光に波面補正作用を付与する。
【００３４】
具体的には、対物レンズ１０９が、ＤＶＤ用のレーザ光（波長６５５ｎｍ）と次世代ＤＶＤ用のレーザ光（波長４０８ｎｍ）に対しては無限系、ＣＤ用のレーザ光（波長７８０ｎｍ）に対しては有限系となるよう設計されている場合、波面補正素子１０７は、ＣＤ用レーザ光を用いる場合にのみ駆動され、ＣＤ用レーザ光の波面状態を、対物レンズ１０９の仕様に合うような波面状態に補正する。
【００３５】
なお、波面補正素子１０７としては、たとえば、特許第２８９５１５０号公報に記載のような液晶素子を用いることができる。すなわち、液晶素子を光軸方向に挟むようにして同心リング状の透明電極を複数配するとともに、レーザ光の光軸が同心リング状の透明電極の中心を貫くよう液晶素子を配置し、前記透明電極に電圧を印加することで、液晶素子の屈折率をリング状に相違せしめ、これにより、レーザ光の波面状態を湾曲させる。ここで、透明電極位置の屈折率は、印加する電圧の大きさによって調整できるため、印加電圧を調整することによって、レーザ光の波面状態を適正状態に調整することができる。
【００３６】
この他、波面補正素子１０７としては、特開２００３−１４９４４３号公報に記載のような複屈折素子を用いることもできる。また、ビームエキスパンダやレンズ介挿機構等のメカニカル調整機構を用いることもできる。
【００３７】
なお、対物レンズ１０９が全てのレーザ光に対し有限系である場合には、波面補正素子１０７は不要である。この場合、図１に示す光学系から波面補正素子１０７が省略される。
【００３８】
λ／４板１０８は、偏光ＢＳ１０４を全透過したレーザ光（直線偏光）を円偏光に変換する。また、ディスクから反射されたレーザ光（円偏光）を、入射時の偏光方向に直交する直線偏光に変換する。したがって、ディスクから反射されたレーザ光は、偏光ビームＢＳ１０４によってほぼ全反射される。
【００３９】
対物レンズ１０９は、各波長のレーザ光を記録層上に適正に収束させるよう設計されている。なお、対物レンズ１０９は、上述の如く、各レーザ光に対し無限系あるいは有限系となるよう設計されている。
【００４０】
対物レンズアクチュエータ３００は、サーボ回路２０２からのサーボ信号（トラッキングサーボ信号およびフォーカスサーボ信号）に応じて、対物レンズ１０９を駆動する。
【００４１】
集光レンズ１１０は、偏光ＢＳ１０４によって反射されたレーザ光（ディスクからの反射光）を光検出器１１１上に集光する。光検出器１１１は、受光したレーザ光の強度分布から再生ＲＦ信号、フォーカスエラー信号およびトラッキングエラー信号を導出するためのセンサーパターンを有している。各センサーからの信号は、ディスク装置側の再生回路２０１およびサーボ回路２０２に出力される。
【００４２】
再生回路２０１は、光検出器１１１から受信したセンサー信号を演算処理して再生ＲＦ信号を導出し、これを復調して再生データを生成する。
【００４３】
サーボ回路２０２は、光検出器１１１から受信したセンサー信号を演算処理してトラッキングエラー信号およびフォーカスエラー信号を導出し、これに基づいてトラッキングサーボ信号およびフォーカスサーボ信号を生成して対物レンズアクチュエータ１０８に出力する。また、コントローラ２０３からの指令に応じて、波面補正素子１０７に駆動信号を出力する。
【００４４】
コントローラ２０３は、キー入力部（図示せず）からの入力指令等に応じて各部を制御する。
【００４５】
図２に、対物レンズアクチュエータ１０８の構成を示す。
【００４６】
レンズホルダー３０２は、対物レンズ１０９を保持するとともに、ワイヤー３０３によって、ベース３０１にフォーカス方向およびトラッキング方向に移動可能に支持されている。また、レンズホルダー３０２は、中央部の開口にフォーカスコイル３０５が装着されており、さらに、フォーカスコイル３０５の側面には、一対のトラッキングコイル３０４が貼着されている。これらフォーカスコイル３０５とトラッキングコイル３０３には、ワイヤー３０３を介して、フォーカスサーボ信号とトラッキングサーボ信号が供給される。
【００４７】
また、ベース３０１には、Ｕ字状のヨーク３０６が、フォーカスコイル３０５およびトラッキングコイル３０４を挟むようにして取り付けられている。また、ヨーク３０６の内側面には、マグネット３０７が固着されている。レンズホルダー３０２の開口は、マグネット間またはマグネット３０７とヨーク３０６の間の磁気ギャップ位置が切り欠かれており、これにより、磁界がフォーカスコイル３０５およびトラッキングコイル３０４に効率よく印加される。なお、トラッキングコイル３０４は、開口の切り欠き位置に位置するよう、フォーカスコイル３０５に貼着されている。
【００４８】
図３に、３波長レーザ１０１の構成を示す。なお、同図（ｂ）は、同図（ａ）を右側から見た右側面図である。
【００４９】
図において、１０１ａ〜１０１ｃは、レーザ素子である。図示のとおり、レーザ素子１０１ａ〜１０１ｃは、出射口側から見て一直線上に並ぶよう、基体１０１ｄにマウントされている。ここで、各レーザ素子間の間隔は、レーザ素子１０１ａおよびレーザ素子１０１ｃから出射されるレーザ光が、上記軸補正用回折格子１０２によって、レーザ素子１０１ｂから出射されるレーザ光の光軸に一致するよう回折される間隔に設定されている。
【００５０】
図４に、レーザ素子１０１ａ〜１０１ｃと軸補正用回折格子１０２の関係を示す。
【００５１】
図示の如く、軸補正用回折格子１０２には、レーザ光が入射する側の面に、ホログラム格子パターンが形成されている。なお、同図には、ステップ数＝３の格子パターンが示されている。ここで、格子ピッチをｐとすると、レーザ光の回折角θと波長λの関係は、
λ＝ｐ ｓｉｎθ      …（１）
θ＝ｓｉｎ−１λ／ｐ   …（２）
と規定される。したがって、レーザ素子１０１ａと１０１ｃからのレーザ光の光軸を軸補正用回折格子１０２による回折にてレーザ素子１０１ｂからのレーザ光の光軸に一致させようとすると、レーザ素子間の発光点間隔ｄ１、ｄ２は、
ｄ１＝Ｌｔａｎθ１    …（３）
ｄ２＝Ｌｔａｎθ２    …（４）
と規定されるから、レーザ素子１０１ａ、１０１ｃの出射波長λａ、λｂと、軸補正用回折格子１０２の格子ピッチｐから、レーザ素子間の発光点間隔ｄ１、ｄ２は、
ｄ１＝Ｌｔａｎ（ｓｉｎ−１λａ／ｐ）    …（５）
ｄ２＝Ｌｔａｎ（ｓｉｎ−１λｂ／ｐ）    …（６）
として設定される。
【００５２】
ここで、上記式（５）（６）を参照すると、レーザ素子間の間隔ｄ１、ｄ２は、レーザ素子の出射波長に比例することが分かる。したがって、レーザ素子間の間隔ｄ１、ｄ２を大きくするには、レーザ素子１０１ａ、１０１ｃの出射波長を大きくしてやれば良く、このことから、３波長レーザ１０１に格納されるレーザ素子１０１ａ〜１０１ｃのうち、中央のレーザ素子１０１ｂとして出射レーザ波長の最も小さいレーザ素子（波長：４０８ｎｍ）を配置し、これを挟むようにして、出射波長の大きい残り２つのレーザ素子（波長：６５５ｎｍ、波長：７８０ｎｍ）を配置してやれば良いことが分かる。これにより、レーザ素子間の間隔ｄ１、ｄ２を少しでも大きくでき、レーザ素子１０１ａ〜１０１ｃの配置を容易に行うことができる。
【００５３】
なお、このようにして光軸補正を行うと、軸補正用回折格子１０２の回折効率の関係から、光軸合わせを行おうとするレーザ光のパワーが、出射直後のパワーに比べ幾分小さくなる。他方、青紫レーザ光（波長：４０８ｎｍ）を出射するレーザ素子の出射パワーは、今現在のところ、それほど大きくできないことから、上記のように、出射レーザ波長の最も小さいレーザ素子（青紫レーザ）をセンターに配置し回折による軸補正を行わないようにすると、青紫レーザ光のパワーを維持することができ、レーザパワーの面からもメリットがある。
【００５４】
図５〜図８に、軸補正用回折格子１０２の格子パターンと回折効率の関係を示す。
【００５５】
図５は、格子パターンのステップ数を２ステップとしたときのシミュレーション結果である。なお、シミュレーションの条件は、シミュレーション結果を示す特性グラフの下方欄外に示すとおりである。また、グラフ中に付記された４０８−０ｔｈ、６５５−１ｓｔ、７８０＋１ｓｔは、それぞれ波長４０８ｎｍレーザ光の０次回折光、波長６５５ｎｍレーザ光の−１次回折光、波長７８０ｎｍレーザ光の＋１次回折光の回折効率特性であることを示すものである。
【００５６】
同図から、格子パターンが２ステップの場合には、ステップ高さＨを０．８５μｍ程度に設定すると、波長４０８ｎｍの青紫レーザ光（次世代ＤＶＤ用）の回折効率を１００％近くに維持しながら、波長６５５ｎｍのレーザ光（ＤＶＤ用）と波長７８０ｎｍ（ＣＤ用）のレーザ光の回折効率を４０％前後にまで高めることができることが分かる。
【００５７】
図６は、格子パターンのステップ数を３ステップとしたときのシミュレーション結果である。なお、シミュレーションの条件は、シミュレーション結果を示す特性グラフの下方欄外に示すとおりである。また、グラフ中に付記された４０８−０ｔｈ、６５５−１ｓｔ、７８０＋１ｓｔは、それぞれ波長４０８ｎｍレーザ光の０次回折光、波長６５５ｎｍレーザ光の−１次回折光、波長７８０ｎｍレーザ光の＋１次回折光の回折効率特性であることを示すものである。
【００５８】
同図から、格子パターンが３ステップの場合には、ステップ高さＨを０．９０μｍ程度に設定すると、波長４０８ｎｍの青紫レーザ光（次世代ＤＶＤ用）の回折効率を１００％近くに維持しながら、波長６５５ｎｍのレーザ光（ＤＶＤ用）の回折効率を６６％程度にまで高めることができることが分かる。この場合、波長７８０ｎｍのレーザ光（ＣＤ用）は、回折効率が２５％程度であるが、対象ディスクが再生専用ＣＤである場合には、大きなレーザパワーは必要でないため、この程度の回折効率であっても適正パワーのレーザ光をディスクに照射できる。
【００５９】
なお、ステップ高さＨを０．８１５μｍ程度に設定すると、波長７８０ｎｍのレーザ光（ＣＤ用）の回折効率を４０％程度に高めることができる。この場合、波長６５５ｎｍのレーザ光（ＤＶＤ用）の回折効率は５３％程度まで低下するが、図５に示す２ステップの場合に比べると、１５％程度、回折効率を向上させることができる。
【００６０】
図７は、格子パターンのステップ数を４ステップとしたときのシミュレーション結果である。なお、シミュレーションの条件は、シミュレーション結果を示す特性グラフの下方欄外に示すとおりである。また、グラフ中に付記された４０８−０ｔｈ、６５５−１ｓｔ、７８０＋２ｎｄは、それぞれ波長４０８ｎｍレーザ光の０次回折光、波長６５５ｎｍレーザ光の−１次回折光、波長７８０ｎｍレーザ光の＋２次回折光の回折効率特性であることを示すものである。
【００６１】
同図から、格子パターンが４ステップの場合には、ステップ高さＨを０．９μｍ程度に設定すると、波長４０８ｎｍの青紫レーザ光（次世代ＤＶＤ用）の回折効率を１００％近くに維持しながら、波長６５５ｎｍのレーザ光（ＤＶＤ用）と波長７８０ｎｍ（ＣＤ用）のレーザ光の回折効率を４０％程度にまで高めることができることが分かる。
【００６２】
図８は、格子パターンのステップ数を８ステップとしたときのシミュレーション結果である。なお、シミュレーションの条件は、シミュレーション結果を示す特性グラフの下方欄外に示すとおりである。また、グラフ中に付記された４０８−０ｔｈ、６５５−３ｒｄ、７８０＋４ｔｈは、それぞれ波長４０８ｎｍレーザ光の０次回折光、波長６５５ｎｍレーザ光の−３次回折光、波長７８０ｎｍレーザ光の±４次回折光の回折効率特性であることを示すものである。
【００６３】
同図から、格子パターンが８ステップの場合には、ステップ高さＨを０．８７μｍ程度に設定すると、波長４０８ｎｍの青紫レーザ光（次世代ＤＶＤ用）の回折効率を１００％近くに維持しながら、波長６５５ｎｍのレーザ光（ＤＶＤ用）の回折効率を６０％にまで高めることができ、また、波長７８０ｎｍ（ＣＤ用）のレーザ光の回折効率を４０％程度にまで高めることができることが分かる。
【００６４】
上記図５〜図８のシミュレーション結果から、格子パターンのステップ数を大きくすれば、軸補正対象波長のレーザ光の回折効率を大きくことができることが分かる。しかし、ステップ数を大きくするほど、格子パターンが複雑化するため、パターン精度の劣化とコストの上昇が懸念される。また、図８からも分かるとおり、ステップ数が大きくなると、回折効率特性が急峻になるため、最適ステップ高さのマージンも小さくなる。よって、僅かな波長変動や製造誤差（ステップ高さの誤差等）にも回折効率が敏感に変化し、このため、適正な回折効率、レーザパワーが得られなくなるとの問題が起こり得る。この点からすると、ステップ数は３ステップ程度に設定するのが好ましい。ステップ数が３ステップ程度だと、図６に示す如く、回折効率特性はそれほど急峻でないため、僅かな波長変動や製造誤差が生じても、それほど大きく回折効率がぶれることもない。また、３ステップ程度の格子パターンは、パターンがシンプルなため、比較的安価に製造でき、製造誤差も生じ難い。
【００６５】
なお、格子パターンのステップ高さは、上記図５〜図８に示すシミュレーション結果から、各波長の回折効率を比較し、各波長のレーザ光が満たすべき条件との関係から、最も好ましいステップ高さを設定するようにすると良い。たとえば、上記の如く青紫レーザ光のパワーは今現在それ程大きくできないことから、まずは、青紫レーザ光の回折効率を９０％以上と決め、次に、これを満たすステップ高さのレンジから、残り２つのレーザ光に最適のステップ高さを見つけるようにすれば良い。このとき、上記の如く、ＣＤ用レーザ光のパワーをそれほど高く設定する必要がない場合（対象ディスクが再生専用ＣＤの場合等）には、ＤＶＤ用レーザ光の回折効率が少しでも大きくなるステップ高さを見つけるようにする。また、ＣＤ用、ＤＶＤ用の何れのパワーも大きくする場合には、両パワーがバランス良く高くなるステップ高さを見つけるようにする。
【００６６】
以上、本実施の形態によれば、レーザ素子の配置間隔を比較的大きくとることができ、もって、各波長のレーザ光を出射するレーザ素子を、同一レーザＣＡＮ内に簡易に配置することができる。また、回折格子の製造コストは安価であることから、軸補正用素子として上記回折格子１０２を別途追加しても、光ピックアップ装置全体のコストをそれほど上昇させることもなく、特に、ステップ数を３ステップ程度とすれば、コスト上昇を抑えながら、上述の如く、回折効率の向上、製造誤差による回折効率の低下抑制、円滑なステップ高さの設定を実現することができる。
【００６７】
なお、本発明は、上記実施の形態に限定されるものではなく、他に種々の変更が可能であることは言うまでもない。
【００６８】
たとえば、上記実施の形態では、青紫レーザ光用のレーザ素子をセンターに配するようにしたが、他のレーザ素子をセンターに配するようにしても良い。ただし、この場合には、上記式（５）（６）から、上記実施の形態に比べ、発光点間隔が小さくなり、これに応じて、レーザ素子の配置マージンが厳しくなる。
【００６９】
この他、本発明の実施の形態は、特許請求の範囲に示された技術的思想の範囲内において、適宜、種々の変更が可能である。
【図面の簡単な説明】
【００７０】
【図１】実施の形態に係る光ピックアップ装置の構成を示す図
【図２】実施の形態に係る対物レンズアクチュエータの構成を示す図
【図３】実施の形態に係る３波長レーザの構成を示す図
【図４】実施の形態に係るレーザ素子と軸補正用回折格子の関係を示す図
【図５】実施の形態に係る回折効率のシミュレーション結果を示す図
【図６】実施の形態に係る回折効率のシミュレーション結果を示す図
【図７】実施の形態に係る回折効率のシミュレーション結果を示す図
【図８】実施の形態に係る回折効率のシミュレーション結果を示す図
【符号の説明】
【００７１】
１０１    ３波長レーザ
１０１ａ  レーザ素子（出射波長：７８０ｎｍ）
１０１ｂ  レーザ素子（出射波長：６５５ｎｍ）
１０１ｃ  レーザ素子（出射波長：４０８ｎｍ）
１０２    軸補正用回折格子
１０２ａ  ホログラム格子パターン
【図１】
2005259268.tif 000003
【図２】
2005259268.tif 000004
【図３】
2005259268.tif 000005
【図４】
2005259268.tif 000006
【図５】
2005259268.tif 000007
【図６】
2005259268.tif 000008
【図７】
2005259268.tif 000009
【図８】
2005259268.tif 000010